(57)【要約】【課題】  ユーザが音声・映像ファイルの作成方法及びファイルのアップロード手順に関する詳細な知識を知らなくとも、容易にファイルの作成及びアップロードを行うことが可能なコンテンツ閲覧システムを提供する。【解決手段】  ユーザがＷＥＢサーバ２へ対して録音・録画要求を行うことで、ＷＥＢサーバ２はユーザが指定した電話番号のユーザ端末４と音声・映像記録／再生装置５との接続要求を通信制御サーバ３に対して行う。通信制御サーバ３は該当電話番号のユーザ端末４に対して発呼を行い、ユーザ端末４から応答があった後に音声・映像記録／再生装置５との間に通信コネクションを確立する。ユーザ端末４は音声・映像記録／再生装置５の送出するガイダンスにしたがって音声の録音もしくは映像の録画を行う。音声・映像記録／再生装置５はＷＥＢサーバ２へ録音もしくは録画されたコンテンツのアップロードを行う。【選択図】      図１
2006301889.tif 000002
【特許請求の範囲】
【請求項１】
サーバ装置にアップロードされたコンテンツを端末装置にて閲覧可能なコンテンツ閲覧システムであって、
ユーザ端末装置から送られてくるデータから前記コンテンツのファイルを作成する手段と、その作成した前記コンテンツのファイルを前記サーバ装置にアップロードする手段とを含む記録装置と、
外部から指定された電話番号に基づいて前記ユーザ端末装置を呼出す手段と、その呼出した前記ユーザ端末装置と前記記録装置とを接続する手段とを含む通信制御サーバとを有し、
前記記録装置が、前記通信制御サーバを通して接続された前記ユーザ端末装置からのデータを基に前記コンテンツのファイルを作成して前記サーバ装置にアップロードすることを特徴とするコンテンツ閲覧システム。
【請求項２】
前記ユーザ端末装置から送られてくるデータが少なくとも音声及び映像のデータのうちのいずれか一方を含むことを特徴とする請求項１記載のコンテンツ閲覧システム。
【請求項３】
サーバ装置にアップロードされたコンテンツを端末装置にて閲覧可能なコンテンツ閲覧システムであって、
前記コンテンツを前記サーバ装置からダウンロードする手段と、そのダウンロードした前記コンテンツをユーザ端末装置にストリーミング配信する手段とを含む再生装置と、
外部から指定された電話番号に基づいて前記ユーザ端末装置を呼出す手段と、その呼出した前記ユーザ端末装置と前記再生装置とを接続する手段とを含む通信制御サーバとを有し、
前記再生装置が、前記通信制御サーバを通して接続された前記ユーザ端末装置に前記サーバ装置からダウンロードした前記コンテンツをストリーミング配信することを特徴とするコンテンツ閲覧システム。
【請求項４】
前記ユーザ端末装置にストリーミング配信するコンテンツが少なくとも音声及び映像のうちのいずれか一方を含むことを特徴とする請求項３記載のコンテンツ閲覧システム。
【請求項５】
前記端末装置上で動作するブラウザソフトウェアを通して前記外部から指定された電話番号を前記サーバ装置に通知することを特徴とする請求項１から請求項４のいずれか記載のコンテンツ閲覧システム。
【請求項６】
前記端末装置と前記ユーザ端末装置とが異なる装置であることを特徴とする請求項１から請求項５のいずれか記載のコンテンツ閲覧システム。
【請求項７】
前記ユーザ端末装置として、一般加入者電話機及び携帯電話機が利用可能であることを特徴とする請求項１から請求項６のいずれか記載のコンテンツ閲覧システム。
【請求項８】
サーバ装置にアップロードされたコンテンツを端末装置にて閲覧可能なコンテンツ閲覧システムに用いる音声・映像アップロード方法であって、
通信制御サーバが、外部から指定された電話番号に基づいてユーザ端末装置を呼出す手段と、その呼出したユーザ端末装置とこのユーザ端末装置から送られてくるデータから前記コンテンツのファイルを作成しかつその作成した前記コンテンツのファイルを前記サーバ装置にアップロードする記録装置とを接続することを特徴とする音声・映像アップロード方法。
【請求項９】
前記ユーザ端末装置から送られてくるデータが少なくとも音声及び映像のデータのうちのいずれか一方を含むことを特徴とする請求項８記載の音声・映像アップロード方法。
【請求項１０】
前記端末装置上で動作するブラウザソフトウェアを通して前記外部から指定された電話番号を前記サーバ装置に通知することを特徴とする請求項８または請求項９記載の音声・映像アップロード方法。
【請求項１１】
前記端末装置と前記ユーザ端末装置とが異なる装置であることを特徴とする請求項８から請求項１０のいずれか記載の音声・映像アップロード方法。
【請求項１２】
前記ユーザ端末装置として、一般加入者電話機及び携帯電話機が利用可能であることを特徴とする請求項８から請求項１１のいずれか記載の音声・映像アップロード方法。
【請求項１３】
サーバ装置にアップロードされたコンテンツを端末装置にて閲覧可能なコンテンツ閲覧システムに用いる音声・映像配信方法であって、
通信制御サーバが、外部から指定された電話番号に基づいてユーザ端末装置を呼出し、その呼出したユーザ端末装置とこのユーザ端末装置に前記サーバ装置からダウンロードした前記コンテンツをストリーミング配信する再生装置とを接続することを特徴とする音声・映像配信方法。
【請求項１４】
前記ユーザ端末装置にストリーミング配信するコンテンツが少なくとも音声及び映像のうちのいずれか一方を含むことを特徴とする請求項１３記載の音声・映像配信方法。
【請求項１５】
前記端末装置上で動作するブラウザソフトウェアを通して前記外部から指定された電話番号を前記サーバ装置に通知することを特徴とする請求項１３または請求項１４記載の音声・映像配信方法。
【請求項１６】
前記端末装置と前記ユーザ端末装置とが異なる装置であることを特徴とする請求項１３から請求項１５のいずれか記載の音声・映像配信方法。
【請求項１７】
前記ユーザ端末装置として、一般加入者電話機及び携帯電話機が利用可能であることを特徴とする請求項１３から請求項１６のいずれか記載の音声・映像配信方法。
【発明の詳細な説明】
【技術分野】
【０００１】
本発明はコンテンツ閲覧システム及びそれに用いる音声・映像アップロード方法並びに音声・映像配信方法に関し、特に端末装置とＷＥＢサーバとの間における音声や映像等のアップロードや配信の方法に関する。
【背景技術】
【０００２】
従来、この種のアップロードでは、ＷＥＢサーバにアップロードしたい音声や映像等からそれぞれ音声ファイルや動画ファイル等のコンテンツのファイルを作成し、ＷＥＢサーバのアップロードページにアクセスした後、アップロードするファイルを指定しなければならない。
【０００３】
これらの音声や映像等のアップロード方法としては、イーメールを利用して取得した画像を、画像処理ソフトに渡し複数の画像フォーマットに変換させ、所定のＷＥＢサーバにアップロードする一連のプロセスを自動化する方法（例えば、特許文献１参照）、所定のサーバにアクセスしてアップロードスペースを確保し、所定のアプリケーションを起動してアップロード用コンテンツを作成するとともに、アプリケーションから印刷を実行する際に、アプリケーションによる印刷の指示に応答して擬似プリンタドライバが起動し、アプリケーションから受理したデータに基づき、所定形式のデータを作成し、その作成したデータをアップロードスペースにアップロードする方法（例えば、特許文献２参照）がある。
【０００４】
また、音声や映像等の配信方法としては、クライアントから映像データを録画したいという要求が発生した時に映像送信元となるサーバがコネクションをマルチキャストに切替え、映像送信元サーバとクライアント、及び映像送信元サーバと映像蓄積サーバとの間のコネクションを確立させ、カメラから入力された画像をクライアントへ送信するとともに、映像蓄積サーバへもマルチキャストで送信し、リアルタイムで記録する方法（例えば、特許文献３参照）、掲示板メッセージ管理データベースで音声データのメッセージを管理し、音声データのメッセージを録音ファイル名をキーとして録音データ・ファイルに記憶し、メッセージとしての音声を受取って音声データに変換し、その音声データをメッセージとして録音ファイル名と関連付けて録音データ・ファイルへ記録し、さらにＣＴＩサーバがユーザＩＤ及び掲示板ＩＤ並びに録音ファイル名および録音日時を当該メッセージを示すデータとして掲示板メッセージ管理データベースに記憶させる方法（例えば、特許文献４参照）等がある。
【０００５】
【特許文献１】特開２００４−７８４１６号公報
【特許文献２】特開２００３−２９６２１４号公報
【特許文献３】特開２００４−３３６３４６号公報
【特許文献４】特開２００３−１８８９９７号公報
【発明の開示】
【発明が解決しようとする課題】
【０００６】
上述した従来の音声や映像等のアップロード方法では、ＷＥＢサーバへ音声ファイル・動画ファイル等のコンテンツをアップロードするために、まず任意の方法で該当ファイルを生成し、ＷＥＢサーバのアップロードページにアクセスした後、アップロードするファイルを指定する必要があるため、ユーザがファイルの生成及びアップロード手順についてある程度のコンピュータに関する知識が必要であり、比較的手間のかかる手順を行わなければならないという問題がある。
【０００７】
また、従来の音声や映像等の配信方法では、コンテンツの配信を受けるために、ＷＥＢサーバへアクセスするためのＰＣ（パーソナルコンピュータ）等の情報端末が必要であり、コンテンツの受信を希望するユーザが自ら該当サーバへアクセスしなければならないという問題がある。これらの問題は、上記の特許文献１〜４に記載のアップロード方法や配信方法では解決することが困難である。
【０００８】
そこで、本発明の目的は上記の問題点を解消し、ユーザが音声・映像ファイルの作成方法及びファイルのアップロード手順に関する詳細な知識を知らなくとも、容易にファイルの作成及びアップロードを行うことができるコンテンツ閲覧システム及びそれに用いる音声・映像アップロード方法並びに音声・映像配信方法を提供することにある。
【０００９】
また、本発明の他の目的は、コンテンツの配信側より配信先を指定して能動的に配信することを容易に実現することができるコンテンツ閲覧システム及びそれに用いる音声・映像アップロード方法並びに音声・映像配信方法を提供することにある。
【００１０】
さらに、本発明の別の目的はコンテンツ閲覧システムでは、コンテンツの配信を受けるユーザがＷＥＢサーバへアクセスする必要がなく、またコンテンツの所在（ＵＲＬ：Ｕｎｉｆｏｒｍ  Ｒｅｓｏｕｒｃｅ  Ｌｏｃａｔｏｒ）を知らなくても配信を受けることができるコンテンツ閲覧システム及びそれに用いる音声・映像アップロード方法並びに音声・映像配信方法を提供することにある。
【課題を解決するための手段】
【００１１】
本発明によるコンテンツ閲覧システムは、サーバ装置にアップロードされたコンテンツを端末装置にて閲覧可能なコンテンツ閲覧システムであって、
ユーザ端末装置から送られてくるデータから前記コンテンツのファイルを作成する手段と、その作成した前記コンテンツのファイルを前記サーバ装置にアップロードする手段とを含む記録装置と、
外部から指定された電話番号に基づいて前記ユーザ端末装置を呼出す手段と、その呼出した前記ユーザ端末装置と前記記録装置とを接続する手段とを含む通信制御サーバとを備え、
前記記録装置が、前記通信制御サーバを通して接続された前記ユーザ端末装置からのデータを基に前記コンテンツのファイルを作成して前記サーバ装置にアップロードしている。
【００１２】
本発明による他のコンテンツ閲覧システムは、サーバ装置にアップロードされたコンテンツを端末装置にて閲覧可能なコンテンツ閲覧システムであって、
前記コンテンツを前記サーバ装置からダウンロードする手段と、そのダウンロードした前記コンテンツをユーザ端末装置にストリーミング配信する手段とを含む再生装置と、
外部から指定された電話番号に基づいて前記ユーザ端末装置を呼出す手段と、その呼出した前記ユーザ端末装置と前記再生装置とを接続する手段とを含む通信制御サーバとを備え、
前記再生装置が、前記通信制御サーバを通して接続された前記ユーザ端末装置に前記サーバ装置からダウンロードした前記コンテンツをストリーミング配信している。
【００１３】
本発明による音声・映像アップロード方法は、サーバ装置にアップロードされたコンテンツを端末装置にて閲覧可能なコンテンツ閲覧システムに用いる音声・映像アップロード方法であって、
通信制御サーバが、外部から指定された電話番号に基づいてユーザ端末装置を呼出す手段と、その呼出したユーザ端末装置とこのユーザ端末装置から送られてくるデータから前記コンテンツのファイルを作成しかつその作成した前記コンテンツのファイルを前記サーバ装置にアップロードする記録装置とを接続している。
【００１４】
本発明による音声・映像配信方法は、サーバ装置にアップロードされたコンテンツを端末装置にて閲覧可能なコンテンツ閲覧システムに用いる音声・映像配信方法であって、
通信制御サーバが、外部から指定された電話番号に基づいてユーザ端末装置を呼出し、その呼出したユーザ端末装置とこのユーザ端末装置に前記サーバ装置からダウンロードした前記コンテンツをストリーミング配信する再生装置とを接続している。
【００１５】
すなわち、本発明のコンテンツ閲覧システムは、ユーザがＷＥＢページにアクセスし録音もしくは録画に使用する端末に着信可能な番号を指定するだけで、当該端末の呼出しを通信制御サーバから行い、当該端末からの応答後にその端末を音声・映像記録装置と接続することで、録音もしくは録画及び作成されたコンテンツのＷＥＢサーバへのアップロードを行っている。その際、サービスを起動するユーザと録音／録画を行うユーザとが同一である必要はなく、また録音／録画に使用する端末はネットワークに接続されてさえいれば、一般加入者電話でも携帯電話であってもよい。
【００１６】
同様に、本発明のコンテンツ閲覧システムでは、ユーザがＷＥＢページにアクセスして再生したいコンテンツ及びコンテンツの再生に使用する端末に着信可能な番号を指定するだけで、当該端末の呼出しを通信制御サーバから行い、当該端末からの応答後にその端末を音声・映像再生装置と接続することで、該当コンテンツの視聴を可能としている。その際、サービスを起動するユーザとコンテンツの配信を受けるユーザとが同一である必要はなく、またコンテンツの再生に使用する端末はネットワークが接続されてさえいれば、一般加入者電話でも携帯電話であってもよい。
【００１７】
つまり、本発明のコンテンツ閲覧システムでは、ＷＥＢページでのボタンのクリック等のイベントの発生を契機に、電話機等のコミュニケーション端末と音声・映像記録装置とを接続し、録音・録画によって生成されたファイルを、ユーザが詳細な手順を意識せずに容易にＷＥＢサーバへアップロードすることが可能となる。
【００１８】
また、本発明のコンテンツ閲覧システムでは、上記の手段によってアップロードされたコンテンツを、コンテンツの配信側より配信先を指定して能動的に配信することが可能となる。
【００１９】
上記のように、本発明のコンテンツ閲覧システムでは、電話機を使用して録音・録画を可能とし、ファイルのアップロードまで自動で行っているため、ユーザが音声・映像ファイルの作成方法及びファイルのアップロード手順に関する詳細な知識を有していなくとも、容易にファイルの作成及びアップロードを行うことが可能となる。
【００２０】
また、本発明のコンテンツ閲覧システムでは、ユーザがＷＥＢ画面上で再生するコンテンツ及び電話番号を入力し、再生ボタンをクリックするだけで該当電話機へ自動的にコンテンツのストリーミング配信を行っているため、コンテンツの配信側より配信先を指定して能動的に配信することを容易に実現することが可能となる。
【００２１】
さらに、本発明のコンテンツ閲覧システムでは、該当ユーザがネットワーク側装置である通信制御サーバから呼出しを受け、応答するだけでコンテンツの配信を受けることが可能な構成であるため、コンテンツの配信を受けるユーザがＷＥＢサーバへアクセスする必要がなく、またコンテンツの所在（ＵＲＬ：Ｕｎｉｆｏｒｍ  Ｒｅｓｏｕｒｃｅ  Ｌｏｃａｔｏｒ）を知らなくても配信を受けることが可能となる。
【発明の効果】
【００２２】
本発明のコンテンツ閲覧システムは、以下に述べるような構成及び動作とすることで、ユーザが音声・映像ファイルの作成方法及びファイルのアップロード手順に関する詳細な知識を有していなくとも、容易にファイルの作成及びアップロードを行うことができるという効果が得られる。
【００２３】
また、本発明の他のコンテンツ閲覧システムは、以下に述べるような構成及び動作とすることで、コンテンツの配信側より配信先を指定して能動的に配信することを容易に実現することができるという効果が得られる。
【００２４】
さらに、本発明の別のコンテンツ閲覧システムは、以下に述べるような構成及び動作とすることで、コンテンツの配信を受けるユーザがＷＥＢサーバへアクセスする必要がなく、またコンテンツの所在（ＵＲＬ：Ｕｎｉｆｏｒｍ  Ｒｅｓｏｕｒｃｅ  Ｌｏｃａｔｏｒ）を知らなくても配信を受けることができるという効果が得られる。
【発明を実施するための最良の形態】
【００２５】
次に、本発明の実施の形態について図面を参照して説明する。図１は本発明の実施の形態によるコンテンツ閲覧システムの構成を示すブロック図である。図１において、本発明の実施の形態によるコンテンツ閲覧システムはＷＥＢブラウザを起動可能なＰＣ（パーソナルコンピュータ）もしくは携帯情報端末であるＷＥＢクライアント１と、ＷＥＢサーバ２と、ＷＥＢサーバ２と連携して通信コネクションの確立を行う通信制御サーバ３と、通信制御サーバ３の存在するネットワークと相互接続可能なネットワークに存在する一般加入電話機／携帯電話機等の録音・録画／再生用のユーザ端末４と、ユーザ端末４からの音声・映像の録音・録画及びコンテンツのストリーミング配信を行う音声・映像記録／再生装置５とから構成されている。
【００２６】
ユーザはＷＥＢクライアント１上でＷＥＢブラウザを起動し、ＷＥＢサーバ２へのアクセスを行う。ＷＥＢサーバ２ではユーザの認証を行い、認証成功時にアクセスの許可を行う。ユーザはＷＥＢクライアント１上のＷＥＢ画面において音声の録音や映像の録画に使用するユーザ端末４への着信可能な電話番号を入力する。
【００２７】
ユーザがボタンのクリック等によってＷＥＢサーバ２へ対して録音・録画要求を行うことで、ＷＥＢサーバ２はユーザが指定した電話番号の着信先（ユーザ端末４）と音声・映像記録／再生装置５との接続要求を通信制御サーバ３に対して行う。通信制御サーバ３では、まず該当電話番号のユーザ端末４に対して発呼を行い、着信先のユーザ端末４から応答があった後に音声・映像記録／再生装置５との間に通信コネクションを確立する。
【００２８】
応答を行ったユーザ端末４では、音声・映像記録／再生装置５の送出するガイダンスにしたがって音声の録音もしくは映像の録画を行う。音声の録音もしくは映像の録画終了後、音声・映像記録／再生装置５はＷＥＢサーバ２へ録音もしくは録画されたコンテンツのアップロードを行う。
【００２９】
アップロード完了後、ＷＥＢサーバ２はＷＥＢブラウザからのアクセスに対してコンテンツへアクセス可能なＵＲＬ（Ｕｎｉｆｏｒｍ  Ｒｅｓｏｕｒｃｅ  Ｌｏｃａｔｏｒ）情報を返送する。ユーザはＷＥＢクライアント１上のＷＥＢブラウザによって指定されたＵＲＬへアクセスすることで、録音もしくは録画されたコンテンツを視聴することが可能となる。
【００３０】
また、本発明の実施の形態では、上述したような従来のコンテンツの視聴方法の他に、以下の視聴方法も可能としている。ユーザはＷＥＢクライアント１においてＷＥＢブラウザを起動し、ＷＥＢサーバ２へのアクセスを行う。ＷＥＢサーバ２ではユーザの認証を行い、認証成功時にアクセスの許可を行う。ユーザはＷＥＢクライアント１上のＷＥＢ画面で再生するコンテンツ及びコンテンツを再生するために使用するユーザ端末４に着信可能な電話番号を入力する。
【００３１】
ユーザがボタンのクリック等によってＷＥＢサーバ２へ対して再生要求を行うことで、ＷＥＢサーバ２はユーザが指定した電話番号の着信先（ユーザ端末４）と音声・映像記録／再生装置５との接続要求を通信制御サーバ３に対して行う。通信制御サーバ３では、まず該当電話番号のユーザ端末４に対して発呼を行い、着信先のユーザ端末４から応答があった後に音声・映像記録／再生装置５との間に通信コネクションを確立する。
【００３２】
通信コネクション確立後、音声・映像記録／再生装置５は指定されたコンテンツをＷＥＢサーバ２よりダウンロードし、接続されたユーザ端末４に対してコンテンツのストリーミング配信を行う。
【００３３】
このように、本発明の実施の形態では、音声・映像記録／再生装置５を通して一般加入電話機や携帯電話機を使用して録音・録画を可能とし、ＷＥＢサーバ２に対するファイルのアップロードまで自動で行っているため、ユーザが音声・映像ファイルの作成方法及びファイルのアップロード手順に関する詳細な知識を知らなくとも、容易にファイルの作成及びアップロードを行うことができる。
【００３４】
また、本発明の実施の形態では、ユーザがＷＥＢクライアント１上のＷＥＢ画面で再生するコンテンツ及び電話番号を入力し、再生ボタンをクリックするだけで入力された電話番号の一般加入電話機や携帯電話機に自動的にコンテンツのストリーミング配信を行うため、コンテンツの配信側より配信先を指定して能動的に配信することを容易に実現することができる。
【００３５】
さらに、本発明の実施の形態では、ユーザ端末４がネットワーク側装置である通信制御サーバ３から呼出しを受け、応答するだけでコンテンツの配信を受けることができるので、コンテンツの配信を受けるユーザがＷＥＢサーバ２へアクセスする必要がなく、またコンテンツの所在（ＵＲＬ）を知らなくてもコンテンツの配信を受けることができる。
【実施例１】
【００３６】
次に、本発明の一実施例について説明する。本発明の一実施例によるコンテンツ閲覧システムは上述した図１に示す本発明の実施の形態によるコンテンツ閲覧システムと同様の構成となっているので、そのシステム構成についての説明は省略する。
【００３７】
図２は本発明の一実施例による通信制御サーバの構成を示すブロック図である。図２において、通信制御サーバ３は装置内の各種処理制御を行うＣＰＵ（中央処理装置）３１と、ＣＰＵ３１が実行する制御プログラム３２ａを記憶するメインメモリ３２と、ＣＰＵ３１が各種処理制御を行うための情報を記憶する記憶装置３３と、ＷＥＢサーバ２からの要求にしたがってユーザ端末４への発呼を行う発呼手段３４と、ユーザ端末４と音声・映像記録／再生装置５との間で通信コネクションの確立を行う通信コネクション確立手段３５とから構成されている。
【００３８】
記憶装置３３は発呼手段３４によるユーザ端末４への発呼及び通信コネクション確立手段３５によるユーザ端末４と音声・映像記録／再生装置５との間の通信コネクションの確立にそれぞれ用いられるユーザ情報を保持するユーザ情報保持部３３１及び音声・映像記録／再生装置の情報を保持する音声・映像記録／再生装置情報保持部３３２を備えている。尚、ＣＰＵ３１とメインメモリ３２と記憶装置３３と発呼手段３４と通信コネクション確立手段３５とは内部バス３１０にて相互に接続されている。
【００３９】
図３は本発明の一実施例による音声・映像記録／再生装置の構成を示すブロック図である。図３において、音声・映像記録／再生装置５は装置内の各種処理制御を行うＣＰＵ５１と、ＣＰＵ５１が実行する制御プログラム５２ａを記憶するメインメモリ５２と、ＣＰＵ５１が各種処理制御を行うための情報を記憶する記憶装置５３と、音声・映像ファイルをＷＥＢサーバ２にアップロードするアップロード手段５４と、音声・映像ファイルをＷＥＢサーバ２からダウンロードするダウンロード手段５５と、コンテンツをストリーミング配信するストリーミング配信手段５６とから構成されている。
【００４０】
記憶装置５３は通信制御サーバ３によって自装置との間で通信コネクションが確立されたユーザ端末４からの音声・映像情報を保持する音声・映像情報保持５３１と、音声・映像情報保持５３１に保持された情報を基にＣＰＵ５１で作成された音声・映像ファイルを保持する音声・映像ファイル保持部５３２とを備えている。尚、ＣＰＵ５１とメインメモリ５２と記憶装置５３とアップロード手段５４とダウンロード手段５５とストリーミング配信手段５６とは内部バス５１０にて相互に接続されている。
【００４１】
図４及び図５は本発明の一実施例によるコンテンツ閲覧システムにおけるコンテンツの作成及びアップロードの動作を示すシーケンスチャートであり、図６及び図７は本発明の一実施例によるコンテンツ閲覧システムにおけるコンテンツの配信動作を示すシーケンスチャートである。これら図１〜図７を参照して本発明の一実施例によるコンテンツ閲覧システムの動作について説明する。
【００４２】
まず、コンテンツの作成及びアップロードを行う場合、ユーザはＷＥＢクライアント１上でＷＥＢブラウザを起動し、ＷＥＢサーバ２へのアクセスを行う（図４のａ１）。ＷＥＢサーバ２ではユーザの認証を行い（図４のａ２）、認証成功時にアクセスの許可を行う（図４のａ３）。
【００４３】
ユーザはＷＥＢクライアント１上のＷＥＢ画面で音声を録音するために使用する電話機、もしくは映像を録画するために使用する映像通信が可能な携帯電話機等のユーザ端末４に着信可能な電話番号及び作成するファイルのファイル名を入力し、録音ボタンのクリック等によってＷＥＢサーバ２に対して録音・録画要求を行う（図４のａ４）。
【００４４】
ＷＥＢサーバ２はユーザ認証（図４のａ２）によって特定されかつ予め登録されたユーザの電話番号及びユーザが指定した電話番号の着信先（ユーザ端末４）と音声・映像記録／再生装置５との接続要求を通信制御サーバ３に対して行うと同時に（図４のａ５）、ＷＥＢサーバ２はＷＥＢクライアント１に対して録音・録画の開始通知を行う（図４のａ６）。ここでは、ユーザの電話番号の代わりに、サービスを特定するような番号を使用することも可能である。
【００４５】
通信制御サーバ３では、まずユーザが指定した電話番号の着信先（ユーザ端末４）に対して発呼を行う（図４のａ７）。その際、通信制御サーバ３は上記のａ５で通知されるユーザの電話番号を発信者番号として通知する。通信制御サーバ３はユーザ端末４からの応答後（図４のａ８）、音声・映像記録／再生装置５に接続する（図４のａ９）。この接続の際、通信制御サーバ３は上記のａ５で通知されるユーザの電話番号を音声・映像記録／再生装置５に発信者番号として通知する。
【００４６】
通信制御サーバ３は音声・映像記録／再生装置５から応答が返ってきて接続が完了すると（図４のａ１０）、ユーザ端末４にセッション変更要求を行い（図４のａ１１）、ユーザ端末４がセッションの変更を行って応答を返してくると（図４のａ１２）、ユーザ端末４と音声・映像記録／再生装置５との間に通信コネクションが確立する（図４のａ１３）。
【００４７】
ユーザ端末４では音声・映像記録／再生装置５が送出するガイダンスにしたがって、音声の録音もしくは映像の録画を行う（図５のａ１４）。音声の録音もしくは映像の録画の終了後、音声・映像記録／再生装置５では音声・映像ファイルの生成を行う（図５のａ１５）。この場合、音声・映像記録／再生装置５ではユーザ端末４からの音声・映像情報を音声・映像情報保持５３１に保持し、音声・映像情報保持５３１に保持された情報を基にＣＰＵ５１で作成された音声・映像ファイルを音声・映像ファイル保持部５３２に保持する。
【００４８】
その後、音声・映像記録／再生装置５はセッションの切断を行い（図５のａ１６）、通信制御サーバ３によってユーザ端末４とのセッションが切断される（図５のａ１７）。セッション切断後、音声・映像記録／再生装置５は上記のａ９で通信制御サーバ３から通知されたユーザの電話番号を基にファイルのアップロードを行うＵＲＬを特定し（図５のａ１８）、ＷＥＢサーバ２に対して録音・録画ファイルのアップロードを行う（図５のａ１９）。
【００４９】
ＷＥＢサーバ２は音声・映像記録／再生装置５からのアップロード完了後（図５のａ２０）、ＷＥＢクライアント１上のＷＥＢブラウザからのアクセスに対して（図５のａ２１）、コンテンツへアクセス可能なＵＲＬ情報をＷＥＢクライアント１上のＷＥＢブラウザに返送する（図５のａ２２）。ユーザはＷＥＢクライアント１上のＷＥＢブラウザによって指定されたＵＲＬへアクセスすることで、録音されたコンテンツもしくは録画されたコンテンツを視聴することが可能となる。
【００５０】
次に、コンテンツ配信を行う場合、ユーザはＷＥＢクライアント１上でＷＥＢブラウザを起動し、ＷＥＢサーバ２へのアクセスを行う（図６のｂ１）。ＷＥＢサーバ２ではユーザの認証を行い（図６のｂ２）、認証成功時にアクセスの許可を行う（図６のｂ３）。また、その際に、ＷＥＢサーバ２では該当ユーザが利用可能なコンテンツの一覧の表示を行う。
【００５１】
ユーザはＷＥＢクライアント１上のＷＥＢ画面で再生するコンテンツ及びコンテンツを再生するために使用する電話機もしくは携帯電話機等のユーザ端末４に着信可能な電話番号を入力し、再生ボタンのクリック等によってＷＥＢサーバ２に対して再生要求を行う（図６のｂ４）。
【００５２】
ＷＥＢサーバ２はユーザ認証（図６のｂ２）によって特定されかつ予め登録されたユーザの電話番号及びユーザが指定した電話番号の着信先（ユーザ端末４）と音声・映像記録／再生装置５との接続要求を通信制御サーバ３に対して行うと同時に（図６のｂ５）、ＷＥＢクライアント１に対して再生の開始通知を行う（図６のｂ６）。ここでは、ユーザの電話番号の代わりに、サービスを特定するような番号を使用することも可能である。
【００５３】
通信制御サーバ３では、まずユーザが指定した電話番号の着信先（ユーザ端末４）に対して発呼を行う（図６のｂ７）。この際、通信制御サーバ３は上記のｂ５で通知されるユーザの電話番号を発信者番号として通知する。通信制御サーバ３はユーザ端末４からの応答後（図６のｂ８）、音声・映像記録／再生装置５に接続する（図６のｂ９）。この接続の際、通信制御サーバ３は上記のｂ５で通知されるユーザの電話番号を音声・映像記録／再生装置５に発信者番号として通知する。
【００５４】
通信制御サーバ３は音声・映像記録／再生装置５から応答が返ってきて接続が完了すると（図６のｂ１０）、ユーザ端末４にセッション変更要求を行い（図６のｂ１１）、ユーザ端末４がセッションの変更を行って応答を返してくると（図６のｂ１２）、ユーザ端末４と音声・映像記録／再生装置５との間に通信コネクションが確立する。音声・映像記録／再生装置５は上記のｂ９で通知されたユーザの電話番号及びコンテンツ情報からＵＲＬを特定し（図６のｂ１３）、コンテンツのダウンロードを行う（図７のｂ１４）。
【００５５】
音声・映像記録／再生装置５はダウンロード完了後（図７のｂ１５）、接続されたユーザに対してコンテンツのストリーミング配信を行う（図７のｂ１６）。音声・映像記録／再生装置５は再生終了後（図７のｂ１７）、セッションの切断を行うので（図７のｂ１８）、通信制御サーバ３にてユーザ端末４とのセッションが切断される（図７のｂ１９）。
【００５６】
このように、本実施例では、ユーザがＷＥＢクライアント１上のＷＥＢ画面で音声を録音するために使用する一般加入電話機や携帯電話機等のユーザ端末４の電話番号及びファイル名を入力し、録音ボタンをクリックするだけで、このユーザ端末４を使用して録音・録画が可能となり、ファイルのアップロードまで自動で行われるようになるため、ユーザは音声・映像ファイルの作成方法及びファイルのアップロード手順に関する詳細な知識を知らなくとも、容易に音声・映像ファイルの作成方法及びファイルのアップロードを実施することができる。
【００５７】
また、本実施例では、ユーザがＷＥＢクライアント１上のＷＥＢ画面で再生するコンテンツ及びコンテンツを再生するために使用する一般加入電話機や携帯電話機等のユーザ端末４の電話番号を入力し、再生ボタンをクリックするだけで、該当ユーザ端末４に対してコンテンツを配信することが可能となるので、コンテンツの配信側より配信先を指定して能動的にコンテンツを配信することが可能となる。
【００５８】
さらに、本実施例では、サービスの起動を行うユーザと録音・録画を行うもしくはコンテンツの配信を受けるユーザとが同一である必要性がないため、後者はＷＥＢサーバ２へアクセスする必要がなく、またコンテンツの所在（ＵＲＬ）を知らなくても配信を受けることができる。
【図面の簡単な説明】
【００５９】
【図１】本発明の実施の形態によるコンテンツ閲覧システムの構成を示すブロック図である。
【図２】本発明の一実施例による通信制御サーバの構成を示すブロック図である。
【図３】本発明の一実施例による音声・映像記録／再生装置の構成を示すブロック図である。
【図４】本発明の一実施例によるコンテンツ閲覧システムにおけるコンテンツの作成及びアップロードの動作を示すシーケンスチャートである。
【図５】本発明の一実施例によるコンテンツ閲覧システムにおけるコンテンツの作成及びアップロードの動作を示すシーケンスチャートである。
【図６】本発明の一実施例によるコンテンツ閲覧システムにおけるコンテンツの配信動作を示すシーケンスチャートである。
【図７】本発明の一実施例によるコンテンツ閲覧システムにおけるコンテンツの配信動作を示すシーケンスチャートである。
【符号の説明】
【００６０】
１  ＷＥＢクライアント
２  ＷＥＢサーバ
３  通信制御サーバ
４  ユーザ端末
５  音声・映像記録／再生装置
３１，５１  ＣＰＵ
３２，５２  メインメモリ
３２ａ，５２ａ  制御プログラム
３３，５３  記憶装置
３４  発呼手段
３５  通信コネクション確立手段
５４  アップロード手段
５５  ダウンロード手段
５６  ストリーミング配信手段
３１０，５１０  内部バス
３３１  ユーザ情報保持部
３３２  音声・映像記録／再生装置情報保持部
【図１】
2006301889.tif 000003
【図２】
2006301889.tif 000004
【図３】
2006301889.tif 000005
【図４】
2006301889.tif 000006
【図５】
2006301889.tif 000007
【図６】
2006301889.tif 000008
【図７】
2006301889.tif 000009